(57)【要約】【課題】暖機運転時のオイルの早期昇温と、暖機終了後のオイルの冷却とを一挙に達成できるオイルパン装置を提供する。【解決手段】本体２の開口部にバッフルプレート４を配置しており、バッフルプレート４に滴下したオイルは流下部４ａから流れ落ちる。本体２には、流下部４ａと間隔１３を空けた状態でオイル受け部９を設け、オイル受け部９に、本体２の内周に沿って延びるオイル流路１０を接続している。暖機運転時でオイルの温度が低い状態では、オイルは本体２の内部にそのまま戻って、速やかに機関に送られる。このため早期暖機を実現できる。暖機運転を終えてオイルの温度が冷却を必要な程に高くなると、オイルはオイル受け部９に流入して、オイル流路１０を流れることで冷却されると共に、気泡も除去される。【選択図】図５
2015161234.tif 000002
【特許請求の範囲】
【請求項１】
上向きに開口した本体とその開口部に配置したバッフルプレートとを備えており、前記バッフルプレートに滴下したオイルは前記バッフルプレートの外周の一部に設けた流下部から流れ落ちる構成であって、
前記本体又はその内部に設けた仕切り部材若しくは前記バッフルプレートに、平面視で前記バッフルプレートの流下部と間隔を空けた状態に配置されたオイル受け部と、前記オイル受け部に連続して前記本体の内周に沿うように配置されたオイル流路とを設けており、
前記バッフルプレートに落ちたオイルは、温度が基準値より低くて粘度が高いと前記流下部から本体内に流下し、温度が基準値より高くて粘度が低いと前記流下部からオイル受け部まで飛ぶことにより、温度によって流込み場所が変わるようになっており、かつ、前記オイル流路の終端は本体内部に開放されている、
内燃機関のオイルパン装置。
【発明の詳細な説明】
【技術分野】
【０００１】
本願発明は、内燃機関のオイルパン装置に関するものである。
【背景技術】
【０００２】
内燃機関において、オイルには機関温度との関係で相反する２つの機能が求められている。すなわち、冷間始動後の暖機運転のようにオイルの温度が低い場合は、メカロスを低減するためにオイルは早期昇温が要求され、逆に、オイルの温度がある程度まで上昇すると、潤滑性能保持のため、温度上昇の抑制が要求される。
【０００３】
そして、特許文献１には、暖機運転時の早期昇温を図るべく、機関から流下したオイルを１か所のオイル受け部で受けて、これを平面視Ｕ形のオイル通路によってストレーナ配置部に導くようにした構成が開示されている。
【先行技術文献】
【特許文献】
【０００４】
【特許文献１】特開２０１０−２５５５１６号公報
【発明の概要】
【０００５】
特許文献１は、機関によって温められたオイルを再び機関に戻して、少ない量のオイルを機関に循環させることで早期昇温を図ったものと云えるが、少ない量のオイルが単純に循環するに過ぎないため、オイルが所定温度まで昇温した場合の冷却性には貢献できないのみならず、少ない量のオイルが機関を循環し過ぎることで、オイルの劣化が早まることも懸念される。
【０００６】
また、機関から流下してオイルは平面視Ｕ形のオイル通路を流れるため、暖機運転時にもオイルの熱がオイル通路に吸熱されてしまう現象が生じて、早期昇温の効果が減殺されるおそれもある。
【０００７】
本願発明は、このような現状を改善すべく成されたものであり、暖機運転時の早期昇温と通常運転時のオイル冷却とを両方とも実現することを目的とするものである。
【課題を解決するための手段】
【０００８】
本願発明のオイルパン装置は、上向きに開口した本体とその開口部に配置したバッフルプレートとを備えており、前記バッフルプレートに滴下したオイルは前記バッフルプレートの外周の一部に設けた流下部から流れ落ちる構成であって、まず、前記本体又はその内部に設けた仕切り部材若しくは前記バッフルプレートに、平面視で前記バッフルプレートの流下部と間隔を空けた状態に配置されたオイル受け部と、前記オイル受け部に連続して前記本体の内周に沿うように配置されたオイル流路とを設けている。
【０００９】
そして、前記バッフルプレートに落ちたオイルは、温度が基準値より低くて粘度が高いと前記流下部から本体内に流下し、温度が基準値より高くて粘度が低いと前記流下部からオイル受け部まで飛ぶことにより、温度によって流込み場所が変わるようになっており、かつ、前記オイル流路の終端は本体内部に開放されている。
【００１０】
なお、上記の構成の「基準値」とは、明確な数字が存在するという意味ではなく、例えば、冷却水がラジェータで冷却される程度まで機関が昇温した状態でのオイルの温度をおおよその目安とするというほどの意味であり、その程度の温度になったらオイル受け部に飛ばされるように、流下部とオイル受け部との間隔を設定しておくということである。
【発明の効果】
【００１１】
本願発明では、コールドスタート時のようにオイルの温度が低い場合は、粘度が高くてバッフルプレート上を流れる流速も遅いため、流下部から勢い良く飛ぶことはなく、バッフルプレートを伝って本体内部に垂れ落ちて、機関に速やかに送られる。このため、暖機運転時の早期昇温を達成できる。すなわち、機関の温度が低い状態では、少ない量のオイルを昇温状態で機関に循環させることで、オイルの早期昇温を実現できる。
【００１２】
他方、暖機運転を終えて、例えば冷却水がラジェータで冷却されるほどに機関が昇温し、オイルも昇温して冷却の必要性が高くなると、バッフルプレート上を流れるオイルは流速が速くなっているため、空間を飛び超えてバッフルプレートからオイル受け部に流れ込み、オイル受け部からオイル流路を流れて本体に流入するが、オイル受け部とオイル流路とを流れる過程で放熱するため、温度を低下させる（冷却する）ことができる。
【００１３】
従って、暖機運転終了後の冷却性能を向上できる。また、オイルがオイル受け部及びオイル流路を流れる過程で気泡が抜けるため、潤滑性能向上にも貢献できる。
【図面の簡単な説明】
【００１４】
【図１】第１実施形態に係るオイルパン装置の平面図である。
【図２】オイルパン装置の分離平面図である。
【図３】図１のIII-III 視断面図である。
【図４】図１の IV-IV視断面図である。
【図５】作用を示す図である。
【図６】第２実施形態を示す図である。
【図７】第３実施形態を示す図である。
【図８】第４実施形態を示す図である。
【発明を実施するための形態】
【００１５】
(1).第１実施形態
次に、本願発明の実施形態を図面に基づいて説明する。まず、図１〜４に示す第１実施形態を説明する。オイルパン装置１は、上向きに開口した本体２と、その内部に配置した仕切り部材３と、本体２の開口部に配置したバッフルプレート４とで構成されている。三者は金属製でも樹脂製でもよいが、本体２と仕切り部材３とは、放熱性確保の点からは金属製が好ましく、断熱性を高めて早期昇温を図る点では樹脂製がよいと云える。バッフルプレート４はどちらでもよい。
【００１６】
本体２は、クランク軸５の方向に長手の平面視略長方形の形態を成しており、上端にはフランジ６を形成している。他方、仕切り部材３は本体２の内部を内外に仕切るもので、底板３ａを備えていて容器状の形態を成しており、本体２の左右長手両側部２ａと一端部２ｂとの内側に位置した３つの壁３ｂを有しており、本体２と壁３ｂとの間には、狭い間隔が空いている。このため、本体２の内部は、狭い間隔の外槽７とその内側に位置した大きい容積の内槽８とに区分されている。
【００１７】
仕切り部材３は、本体１の他端部２ｃの箇所では切り開かれており、従って、本体２の内部の外槽７と内槽８とは、本体２の他端部２ｃの箇所において連通している。
【００１８】
バッフルプレート４は、本体２の他端部２ｃに近い箇所を除いて、本体２の内部を上から覆っており、かつ、本体２の一端部２ｂの側が高くて本体２の他端部２ｃの側が低くなるように傾斜している。従って、バッフルプレート４に上から滴下或いは流下したオイルは、バッフルプレート４の他端縁に向けて流れる。すなわち、バッフルプレート４は、その他端縁が流下部４ａになっている。
【００１９】
なお、図示の形態ではバッフルプレート４の他端縁は全幅にわたって流下部４ａになっているが、幅方向の一部のみを流下部４ａとなすことも可能である（この場合は、オイルが流れる流速は速まる。）。図示では省略しているが、バッフルプレート４は本体２にビス等で固定されている。
【００２０】
本体２の内周のうち、他端部２ｃの箇所には、上向きに開口した樋状のオイル受け部９を全幅に亙って形成し、更に、本体２の左右両長手側部２ａの内面には、オイル受け部９に連続して延びるオイル流路１０を形成し、オイル流路１０は、本体２の一端部２ｂまで延びている。オイル流路１０の終端は本体２の一端部２ｂで途切れており、このため、本体２の一端部２ｂには、オイル流路１０を流れてきたオイルを外槽７に流下させる切り開き部１１が空いている。つまり、オイル流路１０の終端は、本体２の内部のうち外槽７に開放されている。
【００２１】
オイル受け部９は、その幅方向の中間部が最も高くて、オイル流路１０に向けて低くなるように傾斜しており、かつ、オイル流路１０は、オイル受け部９に繋がった始端が最も高くて、切り開き部１１に臨んだ終端が最も低くなるように傾斜している。このため、オイル受け部９に入ったオイルは、左右いずれかのオイル流路１０を流れて、本体２の一端部２ｂから外槽７に流れ落ちる。本体２のうち一端部２ｂに近い部位にはストレーナ１２を配置しており、ストレーナ１２はバッフルプレート４を貫通している（ストレーナ１２はバッフルプレート４に取り付けてもよい。）。
【００２２】
バッフルプレート４の流下部４ａと本体２のオイル受け部９との間には、平面視である程度の間隔寸法の空間１３が空いている。このため、バッフルプレート４に滴下したオイルは、その温度（粘度）により、図５（Ａ）に示すように、流下部４ａから本体２の内部に垂れ落ちたり、図５（Ｂ）に示すように、空間１２を飛び越えてオイル受け部９に飛来したりする。
【００２３】
そこで、空間１３の間隔を、暖機運転時における温度（粘度）では流下部４ａから本体２に垂れ落ちて、暖機運転を終了した状態における温度では流下部４ａからオイル受け部９に飛ぶような寸法に設定している。
【００２４】
従って、暖機運転時には、機関を巡ったオイルは本体２に速やかに戻って、再び機関に速やかに送られる。このため、オイルの早期昇温を実現できる。本実施形態のように、本体２の内部に仕切り部材３を設けると、流下部４ａから戻されたオイルを内槽８においてストレーナ１２に迅速に吸引できるため、早期昇温の効果が一層高くなる。
【００２５】
他方、暖機運転が終了すると、オイルの粘度か低くなってバッフルプレート４を流れ落ちる流速は速くなるため、オイルはオイル受け部９に流れ落ちて、オイル流路１０を経由して本体２の内部に戻る。この戻りに際して長い経路を辿るため、オイルは効率良く冷却されると共に、微細な気泡も排除される。
【００２６】
本願発明のように仕切り部材３を設けると、本体２の一端部２ｂから外槽７に流入したオイルは、仕切り部材３の外側の外槽７をぐるりと回って本体２の他端部２ｃの側に移動するため、この外槽７を流れる過程でも熱が本体２に奪われて冷却性能が高くなる。従って、仕切り部材３は、早期昇温と冷却性能向上との両方の役割を果たしている。
【００２７】
本実施形態では、オイル流路１０の終端を本体２の一端部２ｂまで延ばしたが、オイル流路１０を本体２の左右長手側部２ａのみに設けることも可能である。この場合は、オイル流路１０の長さは任意に設定できる。従って、本体２の左右長手側部２ａの半分程度だけにオイル流路１０を設けるといったことも可能である。
【００２８】
さて、機関の運転を停止するとオイルはオイルパン１に戻るが、オイルが戻り切ると油面がバッフルプレート４の上まで上昇することがあり、すると、次の始動時に、コンロッドのうちクランクピンに嵌まっている部分がオイル面を叩く現象が生じて、オイルが飛散することが発生し得る。
【００２９】
この点、本願発明では、本体２は従来と同じ容量としつつこれにオイル受け部９及びオイル流路１０を外向きに張り出した状態に設けることで、オイルが溜まる容積量を増大できるため、従来と同じオイルの容量でありながら機関停止時の油面を下げることができる。従って、始動時にオイル面がコンロッドで叩かれてオイルが飛散することを防止可能になる。
【００３０】
(2).他の実施形態・その他
第１実施形態ではオイル受け部９とオイル流路１０とを本体２に設けたが、図６に示す第２実施形態では、オイル流路１０（及びオイル受け部９）を仕切り部材３に設けている。
【００３１】
図７に示す第３実施形態では、オイル流路１０に、その長手方向に延びる補助リブ１４を設けることで、オイルの放熱性と気泡除去性能を向上させている。補助リブ１４は１枚のみでもよい。
【００３２】
図８に示す第４実施形態では、オイル受け部９とオイル流路１０とをバッフルプレート４に形成している。このように構成すると、構造が簡単になる。オイル流路１０は上向きに開口しているので、上から蓋で塞いだらよい。
【００３３】
以上、本願発明の実施形態を説明したが、本願発明は他にも様々に具体化できる。例えば、仕切り部材は任意的部材であり、これを使用しない態様も有り得る。また、オイル受け部９やオイル流路１０を本体２とは別部材で構成して、これを本体２の内側面に溶接等で固定してもよい。ストレーナは、バッフルプレートの流下部の近くに配置することも可能である。
【００３４】
バッフルプレートの左右両側縁に流下部を設けて、２つの流下部に対応して２つのオイル受け部を設けるといったことも可能である。すなわち、流下部及び受け部は複数であってもよい。オイル流路は２つのみでもよい。
【産業上の利用可能性】
【００３５】
本願発明は、オイルパン装置に具体化できる。従って、産業上利用できる。
【符号の説明】
【００３６】
１  オイルパン装置
２  本体
３  仕切り部材
４  バッフルプレート
４ａ  流下部
７  外槽
８  内槽
９  オイル受け部
１０  オイル流路
１１  切り開き部
１３  空間
【図１】
2015161234.tif 000003
【図２】
2015161234.tif 000004
【図３】
2015161234.tif 000005
【図４】
2015161234.tif 000006
【図５】
2015161234.tif 000007
【図６】
2015161234.tif 000008
【図７】
2015161234.tif 000009
【図８】
2015161234.tif 000010